(57)【要約】【課題】複数の部品により構成される製品を各部品毎に梱包するための複数の部品梱包材からなる梱包材において、梱包材の回収時には、各部品梱包材を、製品毎に１つの箱に収納することでコンパクトに回収できると共に、容易に再利用できるようにすることを目的とする。【解決手段】ミラーキャビネット１０の部品梱包材の内、外板部は互いに嵌合可能な箱状の外箱部１及び内箱部５より形成されており、ミラーキャビネット１０及び洗面台２２の部品梱包材の内、この外箱部１と内箱部５を構成する箱形成部材を除く梱包部材は、外箱部１と内箱部５が嵌合されて内部に形成される空間に収納可能に構成されている。そして、外箱部１及び内箱部５は各々チリトリ形状の一対の箱形成部材を重合させることにより構成されており、重合する位置を変えることで箱の幅を変化させることが可能である。【選択図】  図６
2006168810.tif 000002
【特許請求の範囲】
【請求項１】
複数の部品からなる製品を、複数の部品梱包材により各部品毎に梱包するための梱包材であって、
前記各部品梱包材は、
前記部品を挟んで互いに対向配置され、該部品を外部からの衝撃から保護する一対の外板部と、
該外板部と前記部品の間、又は該部品の該外板部に覆われていない部分に配置され、該部品を外部からの衝撃から保護する緩衝材と、
より構成され、
前記複数の部品梱包材を構成する前記一対の外板部の内の１組は、各々１つの開口面を備える箱状で、互いに開口面を対向させて嵌合可能な外箱部及び内箱部より形成され、
該外箱部及び内箱部は、各々矩形の底部と、該底部の周囲３辺に立設された一対の対向する第１側壁部と、該第１側壁部に隣接する第２側壁部とからなるチリトリ形状で、該第２側壁部を互いに対向させて重合可能な一対の箱形成部材により形成され、
前記各部品梱包材を構成する各部材である梱包部材は、前記箱形成部材を除き、前記外箱部と前記内箱部とを嵌合させた際に内部に形成される空間に収納可能であることを特徴とする梱包材。
【請求項２】
前記各箱形成部材は、対をなす他の箱形成部材と重合させたときに該他の箱形成部材の側壁部と重なる一対の第１側壁部が互いに平行な面となるように形成され、対をなす箱形成部材同士を重合させた際には、前記各箱形成部材同士を前記第１側壁部に沿って互いにスライド可能であることを特徴とする請求項１に記載の梱包材。
【請求項３】
前記箱形成部材の前記第１側壁部には、前記底部と前記第１側壁部と前記第２側壁部との交わる角部から開口端に向けて略４５度で斜めに折線が形成されていることを特徴とする請求項１又は請求項２に記載の梱包材。
【請求項４】
前記外箱部を形成する前記一対の箱形成部材の少なくとも１つには、該箱形成部材の側壁部に、バンドを挿通可能な挿通穴が形成されていることを特徴とする請求項１〜請求項３の何れかに記載の梱包材。
【請求項５】
前記緩衝材は、１枚のシート材よりなり、該シート材には梱包時の形状に組立てるための折線とは別に、前記緩衝材を折り曲げ可能な折線が形成されていることを特徴とする請求項１〜請求項４の何れかに記載の梱包材。
【請求項６】
前記梱包部材には、前記各部品の梱包手順及び前記梱包材の回収手順が表示されていることを特徴とする請求項１〜請求項５に記載の梱包材。
【請求項７】
前記梱包部材の材質がプラスチック製段ボールであることを特徴とする、請求項１〜請求項６の何れかに記載の梱包材。
【発明の詳細な説明】
【技術分野】
【０００１】
本発明は、製品を各部品毎に梱包するための複数の部品梱包材により構成され、再利用可能な梱包材に関する。
【背景技術】
【０００２】
従来より、製品の梱包方法として、複数の緩衝材で製品を保護し、梱包箱により製品と緩衝材全体を覆う方法が知られている。しかしながら、従来の梱包箱は、箱の大きさ、形状等の理由から開梱後に箱形状のまま回収することは難しく、開梱される度に廃材が発生してしまうという問題があった。
【０００３】
一方、上記問題を回避する方法として、互いに重ね合わせ可能な大きさに形成された２つの箱状の梱包部材を、製品を挟んで対向配置し、締結部材にて締結して梱包する方法が提案されている。これにより、梱包部材が極力削減、縮小されると共に、回収時には梱包部材を重ね合わせて、蓋付の回収箱として使用済みの不必要品などの回収に用いることができる（例えば特許文献１等参照）。
【特許文献１】特開２００１−３４１７９０号公報
【発明の開示】
【発明が解決しようとする課題】
【０００４】
しかしながら、２つの箱状の梱包部材を製品を挟んで対向配置し、締結部材にて締結する方法を用いたとしても、製品の大きさにより、梱包部材が回収、運搬し難い大きさとなることが考えられる。また、製品が、例えば四角錐の上端を、底面と平行な面にて切り落としたような台形形状であるときは、各梱包部材の外寸が大きく異なることが考えられ、この場合は重ね合わせても蓋付きの箱として機能せず、回収箱として使用できない。更に、製品が複数の部品から構成されている場合は、各部品毎に形状の異なる複数の回収箱を回収する必要があり、作業性が悪いという問題が生じる。
【０００５】
本発明は、こうした問題に鑑みなされたもので、複数の部品により構成される製品を各部品毎に梱包するための複数の部品梱包材からなる梱包材において、梱包材の回収時には、各部品梱包材を、製品毎に１つの箱に収納することでコンパクトに回収できると共に、容易に再利用できるようにすることを目的とする。
【課題を解決するための手段】
【０００６】
係る目的を達成するためになされた請求項１に記載の発明は、複数の部品からなる製品を、複数の部品梱包材により各部品毎に梱包するための梱包材であって、前記各部品梱包材は、前記部品を挟んで互いに対向配置され、該部品を外部からの衝撃から保護する一対の外板部と、該外板部と前記部品の間、又は該部品の該外板部に覆われていない部分に配置され、該部品を外部からの衝撃から保護する緩衝材と、より構成され、前記複数の梱包部材を構成する前記一対の外板部の内の１組は、各々１つの開口面を備える箱状で、互いに開口面を対向させて嵌合可能な外箱部及び内箱部より形成され、該外箱部及び内箱部は、各々矩形の底部と、該底部の周囲３辺に立設された一対の対向する第１側壁部と、該第１側壁部に隣接する第２側壁部とからなるチリトリ形状で、該第２側壁部を互いに対向させて重合可能な一対の箱形成部材により形成され、前記各部品梱包材を構成する各部材である梱包部材は、前記箱形成部材を除き、前記外箱部と前記内箱部とを嵌合させた際に内部に形成される空間に収納可能であること、を特徴としている。
【０００７】
このような梱包材によれば、複数の部品梱包材を構成する一対の外板部の内の１組が互いに嵌合可能な外箱部及び内箱部より構成されていると共に、この外箱部及び内箱部を構成する箱形成部材を除く梱包部材は、外箱部と内箱部を嵌合させたときに内部に形成される空間に収納可能である。
【０００８】
このため、梱包材の回収時には箱形成部材を除く梱包部材を、外箱部と内箱部を嵌合させたときに内部に形成される空間に収納することで、梱包材を１つの箱に収納して回収でき、その回収作業を容易にすることができる。また、再利用する際は、再度仕分けすることなくそのまま使用できるため都合がよい。
【０００９】
更に、外箱部、内箱部は、該外箱部及び内箱部は、各々矩形の底部と、該底部の周囲３辺に立設された一対の対向する第１側壁部と、第１側壁部に隣接する第２側壁部とからなるチリトリ形状の一対の箱形成部材を、第２側壁部を互いに対向させて重合させることにより構成されているため、重合させる位置を変化させることにより、梱包材の回収時の外箱部及び内箱部の外形を、梱包時の外箱部及び内箱部の外形よりも小さくすることができ、よりコンパクトに回収することができる。
【００１０】
次に、請求項２に記載の発明は、請求項１に記載の梱包材において、各箱形成部材は、対をなす他の箱形成部材と重合させたときに他の箱形成部材の側壁部と重なる一対の第１側壁部が互いに平行な面となるように形成され、この対をなす箱形成部材同士を重合させた際には、各箱形成部材同士を第１側壁部に沿って互いにスライド可能であることを特徴とする。
【００１１】
このような梱包材によれば、各箱形成部材は、対をなす他の箱形成部材と重合させたとき、他の箱形成部材の第１側壁部と重なる一対の第１側壁部が互いに平行な面となるように形成されており、第１側壁部に沿って互いにスライドさせることができるため、製品の形状に合わせて箱形成部材の重合する位置を変化させて外箱部及び内箱部の開口面の幅を自由に調節することができる。
【００１２】
このため、幅、又は高さの異なる形状の製品にも１つの梱包材を適用することができる。また梱包材の回収時にも、梱包材の形状に合わせて外箱部及び内箱部の開口面の幅を自由に調節することができるため、無駄な空間を残さず梱包部材を収納でき、よりコンパクトに回収することができる。
【００１３】
ここで、箱形成部材の第１側壁部には、請求項３に記載のように、底部と第１側壁部と第２側壁部との交わる角部から開口端に向けて略４５度で斜めに折線が形成されていることが好ましい。
【００１４】
このようにすれば、第２側壁部を第１側壁部に形成された折線で箱の内側に折り曲げることにより、第１側壁部を箱の外側に傾けることが可能となるため、箱の開口面を一時的に広げることができる。このため製品を収納しやすくなり、作業性を向上することができる。
【００１５】
一方、本発明の梱包材は、請求項４に記載のように、外箱部を形成する一対の箱形成部材の少なくとも１つには、側壁部に、バンドを挿通可能な挿通穴が形成されていることが好ましい。
【００１６】
このようにすれば、側壁部に形成された挿通穴にバンドを挿通することが可能となり、挿通穴にバンドを挿通して外箱部、内箱部を結束することができる。また外箱部、内箱部を結束したバンドを運搬に使用することもできるので都合がよい。
【００１７】
また、緩衝材は、請求項５に記載のように、１枚のシート材よりなり、このシート材には梱包時の形状に組立てるための折線とは別に、緩衝材を折り曲げ可能な折線が形成されていることが好ましい。
【００１８】
このようにすれば、緩衝材を折線で折り曲げることができるため、緩衝材が内箱部の開口面よりも大きい場合であっても、梱包材の回収時には緩衝材を折線に沿って折り曲げることにより破損することなく収納することができる。
【００１９】
更に、梱包部材には、請求項６に記載のように、各部品の梱包手順及び梱包材の回収手順が表示されていることが好ましい。
このようにすれば、梱包手順、回収手順が明確となり、作業性を向上できる。
【００２０】
そして、このような梱包部材の材質は、組立可能であれば何を用いても良く、例えば厚紙、段ボール等の紙材料であっても良いが、請求項７に記載のように、梱包部材の材質は、プラスチック製段ボールであることが好ましい。
【００２１】
このようにプラスチック製の段ボールを使用すれば、より強度が高くなり、壊れにくくなるため、再利用に適した梱包材とすることができる。また印刷を施すことなく梱包部材の色を変えることができるため、識別が容易となり作業性を向上できる。
【発明を実施するための最良の形態】
【００２２】
以下、本発明の実施形態を図面と共に説明する。
本実施形態の梱包材はミラーキャビネット１０と洗面台２２からなるミラーキャビネット付洗面化粧台を梱包するための梱包材であり、ミラーキャビネット１０の部品梱包材と洗面台２２の部品梱包材により構成されている。
【００２３】
まず、ミラーキャビネット１０の部品梱包材について以下に説明する。
図１（ａ）は、ミラーキャビネット１０の梱包途中を示す概略図、図１（ｂ）はミラーキャビネット１０を梱包する各梱包部材を示す分解図である。
【００２４】
本実施形態において、ミラーキャビネット１０の部品梱包材は、図１（ａ）に示すように、ミラーキャビネット１０を包装してミラーキャビネット１０を保護する樹脂製の緩衝材と、この緩衝材にて包装されたミラーキャビネット１０を挟んで互いに対向配置されてミラーキャビネット１０を保護する外板部とから構成されている（但し図中、ミラーキャビネット１０は緩衝材に包装された状態を表す）。そして、外板部は各々１つの開口面を備える箱状で、互いに開口面を対向させて嵌合可能な外箱部１及び内箱部５より形成されている。
【００２５】
また、図１（ｂ）に示すように、外箱部１及び内箱部５は夫々互いに対向させて重合可能な一対の箱形成部材により構成されており、本実施形態において、外箱部１は天キャップ右２及び天キャップ左４の一対の箱形成部材からなり、内箱部５は底トレイ右６及び底トレイ左８の一対の箱形成部材からなる。
【００２６】
次に、ミラーキャビネット１０の部品梱包材を構成する各梱包部材について以下に説明する。
図２（ａ）は、天キャップ右２の展開図、図２（ｂ）は天キャップ左４の展開図である。
【００２７】
外箱部１を形成する天キャップ右２、天キャップ左４は、各々色付き（例えば青色）のプラスチック製段ボールからなる１枚のシート材により構成されている。そして、この天キャップ右２を構成するシート材３４は、図２（ａ）に示すように、矩形の底部４０と、底部４０の周囲４辺の内、一対の対向する辺に連設された２つの第１側壁部４２と、他の２辺の内の１辺に連設された第２側壁部４４と、を備えている。また、第１側壁部４２の第２側壁部４４側の端縁には、第１側壁部４２と第２側壁部４４を接続するための接続用フラップ４２ａが設けられている。
【００２８】
また、各第１側壁部４２には、底部４０と第１側壁部４２と第２側壁部４４の交わる角部から、底部４０と反対側の端縁に向けて略４５度の方向に折線４６が形成されているとともに、中央付近に、結束、運搬用のバンドを挿通すために使用する２つの挿通穴４８が底部４０側の端縁に平行に設けられている。
【００２９】
一方、天キャップ左を構成するシート材３６は、図２（ｂ）に示すように、シート材３４と同じ形状で、挿通穴４８が無いタイプであり、組立時にシート材３４よりなる天キャップ右２に重合可能な大きさに形成されている。
【００３０】
また、内箱部５を形成する底トレイ右６、底トレイ左８は、各々、図２（ｂ）に示すシート材３６と同じ形状で、組立時に各々重合可能な大きさに形成され、外箱部１を構成するシート材３４、シート材３６と異なる色（例えばグレー）の色付きのプラスチック製段ボールからなる１枚のシート材により構成されている。
【００３１】
そして、天キャップ右２、天キャップ左４、底トレイ右６、底トレイ左８を構成するこれらのシート材は、予め定められた折線に沿って折り曲げることにより組み立てられ、第１側壁部４２と第２側壁部４４を接続するための接続用フラップ４２ａは、各々第２側壁部４４の内側を向く面と溶着され、固定される。
【００３２】
また、図１（ｂ）に示すように、外箱部１、内箱部５を形成する各箱形成部材（天キャップ右２、天キャップ左４、底トレイ右６、底トレイ左８）には、ミラーキャビネット１０の梱包時に内側となる面に梱包材の回収時の組立手順を示す識別表示ラベル３２が各々貼付されている。
【００３３】
次に、ミラーキャビネット１０の梱包手順について以下に説明する。
図１（ｂ）に示すように、まず、底トレイ右６の第２側壁部４４に底トレイ左８の第２側壁部４４を対向させ、ミラーキャビネット１０の幅に合わせて重合させることにより内箱部５を形成する。次に、図１（ａ）に示すように、緩衝材にて包装されたミラーキャビネット１０をこの内箱部５に収納し、天キャップ左４、天キャップ右２の順に重ね合わせて形成した外箱部１を内箱部５に嵌合させることによりミラーキャビネット１０の上面を覆う。そして、外箱部１と内箱部５の周囲をＰＰバンド等の締結部材で締結する（但し図中、締結部材は省略してある）。
【００３４】
次に、洗面台２２の部品梱包材について説明する。
図３（ａ）は、洗面台２２の梱包状態を示す概略図、図３（ｂ）は洗面台２２を梱包する各梱包部材を示す分解図である。
【００３５】
本実施形態において、洗面台２２の部品梱包材は、図３（ｂ）に示すように、洗面台２２の洗面器部２２ａ又は洗面台下部２２ｂの角部に配置され角部を保護する緩衝材と、洗面台２２を緩衝材と共に上下から挟んで互いに対向配置され、洗面台２２を保護する外板部とから構成されている。
【００３６】
そして、外板部は、各々１つの開口面を備える箱状の上ケース１２、下ケース１４からなり、洗面台２２において、洗面器部２２ａの上面は洗面台下部２２ｂの底面よりも広いため、下ケース１４は上ケース１２に収納可能な形状に形成されている。また、上ケース１２は、ミラーキャビネット１０の各箱形成部材の構成する外箱部１、内箱部５を嵌合させた際に内部に形成される空間に収納可能に形成されている。また、緩衝材は、下ケース１４に収納可能に形成された、角当て１６、洗面器用クッション右１８、洗面器用クッション左２０からなる。
【００３７】
次に、洗面台２２の部品梱包材を構成する各梱包部材について説明する。
図４は上ケース１２の展開図、図５は洗面器用クッション右１８の展開図である。
上ケース１２は、色付きのプラスチック製段ボールからなる１枚のシート材３８により構成されている。このシート材３８は、図４に示すように、矩形の底部５０と、底部５０周囲４辺の内、一対の対向する辺に連設された２つの第１側壁部５２と、他の一対の対向する辺に連設された２つの第２側壁部５４と、を備えている。また、第１側壁部５２の第２側壁部５４側の端縁には、第１側壁部５２と第２側壁部５４を接続するための接続用フラップ５２ａが設けられている。
【００３８】
また、各第１側壁部５２には、底部５０と第１側壁部５２と第２側壁部５４の交わる角部から、底部５０と反対側の端縁に向けて略４５度の方向に折線５６が形成されているとともに、中央付近には、運搬用の指掛け穴５８が設けられている。
【００３９】
下ケース１４は、洗面台下部２２ｂに嵌合可能な大きさで、上ケース１２を形成するシート材３６と形状を同じくする、色付きのプラスチック製段ボールからなる１枚のシート材により構成される。但し、下ケース１４には、折線５６は設けられていない。
【００４０】
そして、上ケース１２、下ケース１４を構成するこれらのシート材は、予め定められた折線に沿って折り曲げることにより組み立てられ、第１側壁部５２と第２側壁部５４を接続するための接続用フラップ５２ａは、各々第２側壁部５４の内側を向く面と溶着され、固定される。更に、下ケース１４については底部５０の第１側壁部５２側に、衝撃を吸収するためのクッション１４ａが貼付される。
【００４１】
また、図３（ｂ）に示すように、上ケース１２及び下ケース１４には、箱の内側となる面に梱包材の回収時の組立手順を示す識別表示ラベル３２が各々貼付される。
一方、洗面器用クッション右１８は、段ボールからなる１枚のシート材６２を予め定められた折線に沿って折り曲げることにより組み立てられ、図３（ｂ）に示すように、洗面器部２２ａの右側手前を保護するクッション右前部１８ａと、右後方を保護するクッション右後部１８ｂと、クッション右前部１８ａとクッション右後部１８ｂを接続するクッション接続部１８ｃと、から構成されている。
【００４２】
このシート材６２は、図５に示すように、クッション右前部１８ａを構成する前保護部６０ａと、クッション右後部１８ｂを構成する後保護部６０ｂと、クッション接続部１８ｃを構成する接続部６０ｃと、からなる３つの部分から構成されており、接続部６０ｃには梱包材の回収時に折り曲げるための折線６４が長手方向と垂直に形成されている。
【００４３】
また、洗面器用クッション左２０は、洗面器用クッション右１８の対称形であり、洗面器用クッション右１８と同様に、段ボールからなる１枚のシート材により形成されており、図３（ｂ）に示すように、接続部に梱包材の回収時に折り曲げるための折線６６が設けられている。
【００４４】
そして、角当て１６は、色付きのプラスチック製段ボールからなり、図３（ｂ）に示すように１枚の長方形のシートを折線に沿って折り曲げて使用され、更に長手方向の中央部には、梱包材の回収時に折り曲げるための折線６８が設けられている。
【００４５】
次に、洗面台２２の梱包手順について説明する。
まず、下ケース１４に洗面台２２を載せ、次に角当て１６を洗面台下部２２ｂの角部に配置する。次に洗面器用クッション右１８及び洗面器用クッション左２０を洗面器部２２ａの左右の側壁を保護するように配置し、上ケース１２をこれらの洗面器用クッションを覆うように被せる。そして、ＰＰバンド等の締結部材でこの上ケース１２及び下ケース１４を締結する（但し図中、締結部材は省略してある）。
【００４６】
次に、梱包材の回収時の収納方法を図６を用いて説明する。
梱包材を回収する際は、まず、図６（ｃ）に示すように、識別表示ラベル３２に示された順序に従って、底トレイ右６に底トレイ左８を重ね合わせて内箱部５を形成する。そして、この内箱部５の内部に洗面台２２の部品梱包材の内、外板部として使用した上ケース１２を収納すると共に、この上ケース１２を隙間なく収納するように底トレイ右６と底トレイ左８の重ね合わせ位置を調節する。尚、上ケース１２はミラーキャビネット１０より小さいため、回収時の内箱部５は、ミラーキャビネット１０梱包時の内箱部５よりも小さくなる。
【００４７】
次に、上ケース１２の内部に、同じく洗面台２２の部品梱包材の内、外板部として使用した下ケース１４を収納し、この下ケース１４の内部に梱包時に洗面台２２の部品梱包材の内の緩衝材として用いた、角当て１６、洗面器用クッション右１８、洗面器用クッション左２０を収納する。このとき、角当て１６は折線６８で折り曲げ、洗面器用クッション右１８、洗面器用クッション左２０は夫々折線６４、折線６６にて折り曲げて収納する。
【００４８】
そして、同様に識別表示ラベル３２に示された順序に従って天キャップ左４、天キャップ右２の順に重ね合わせて形成した外箱部１を内箱部５に嵌合させ、図６（ａ）、図６（ｂ）に示すように、バンド３０を天キャップ右２に設けられた挿通穴４８に挿通し、内箱部５を囲うように締結して外箱部１と内箱部５を結束する。
【００４９】
上記に詳述したように、本実施形態の梱包材において、ミラーキャビネット１０の部品梱包材の内、外板部は互いに嵌合可能な外箱部１及び内箱部５より形成されていると共に、ミラーキャビネット１０及び洗面台２２の部品梱包材の内、この外箱部１と内箱部５を構成する天キャップ右２、天キャップ左４、底トレイ右６、底トレイ左８を除く梱包部材は、外箱部１と内箱部５が嵌合されて内部に形成される空間に収納可能である。
【００５０】
更に、外箱部１は天キャップ右２と天キャップ左４とを互いに対向させて重合させることにより構成され、内箱部５は底トレイ右６と底トレイ左８とを互いに対向させて重合させることで構成されている。
【００５１】
このため、本実施形態の梱包材は、洗面台２２の梱包部材である、上ケース１２、下ケース１４、角当て１６、洗面器用クッション右１８、洗面器用クッション左２０を、ミラーキャビネット１０の梱包部材である天キャップ右２及び天キャップ左４からなる外箱部１と、底トレイ右６及び底トレイ左８からなる内箱部５を嵌合させたときに内部に形成される空間に収納することで、ミラーキャビネット付洗面化粧台の梱包材を１つの箱に収納して回収でき、その回収作業を容易にできる。また、再利用する際は、再度仕分けすることなくそのまま使用できるため都合がよい。
【００５２】
また、ミラーキャビネット１０の梱包時は、ミラーキャビネット１０の形状に合わせて天キャップ右２と天キャップ左４、底トレイ右６と底トレイ左８を夫々互いに重合させて外箱部１及び内箱部５を形成し、梱包材の回収時にはミラーキャビネット１０より小さい上ケース１２の形状に合うように重合する位置を変化させて外箱部１と内箱部５を形成するので、外箱部１及び内箱部５はミラーキャビネット１０の梱包時よりもコンパクトになり、より容易に梱包材を回収することができる。
【００５３】
更に、天キャップ右２と天キャップ左４、底トレイ右６と底トレイ左８を夫々重合させたとき、重合された一対の第１側壁部４２は互いに平行な面であり、互いにスライド可能に構成されている。
【００５４】
このため、ミラーキャビネット１０の梱包時の外箱部１及び内箱部５の開口面の幅、又は梱包材の回収時の外箱部１及び内箱部５の開口面の幅を自由に調節でき、ミラーキャビネット１０又は洗面台２２の外形の変更に対応することができる。
【００５５】
そして、天キャップ右２と、天キャップ左４と、底トレイ右６と、底トレイ左８には第１側壁部４２に折線４６が設けられている。このため、第２側壁部４４を第１側壁部４２に形成された折線４６で箱の内側に折り曲げることにより、第１側壁部４２を箱の外側に傾けることが可能となるため、箱の開口面を一時的に広げることができ、ミラーキャビネット１０を容易に収納できる。
【００５６】
また、天キャップ右２の第１側壁部４２には、バンド３０を挿通可能な挿通穴４８が設けられている。このため、この挿通穴４８にバンド３０を通し、天キャップ右２、天キャップ左４、底トレイ右６、底トレイ左８を結束することができ、また梱包材の回収時の運搬にも使用できるので都合がよい。
【００５７】
また、角当て１６、洗面器用クッション右１８、洗面器用クッション左２０は１枚のシート材よりなり、夫々、梱包時の形状に組立てるための折線とは別に、各緩衝材を夫々折り曲げるための折線６４、折線６６、折線６８が設けられている。このため、梱包材の回収時に折線に沿って折り曲げることにより、緩衝材を破損することなく、下ケース１４に収納することができる。
【００５８】
そして、天キャップ右２、天キャップ左４、底トレイ右６、底トレイ左８、上ケース１２、下ケース１４には、梱包材の回収時の組立手順を示す識別表示ラベル３２が貼付されている。このため、回収順序が明確となり、作業性を向上できる。
【００５９】
そして、天キャップ右２、天キャップ左４、底トレイ右６、底トレイ左８、上ケース１２、下ケース１４、角当て１６はプラスチック製段ボールで形成されており、強度が高く、壊れにくいため、再利用に好適である。また、特に、天キャップ右２と天キャップ左４は青色、底トレイ右６と底トレイ左８はグレーのプラスチック製段ボールを用いているので、外箱部１と内箱部５の識別が容易であり、作業性を向上することができる。
【００６０】
以上、本発明の一実施形態について説明したが、本発明は、種々の形態を採り得ることは言うまでもない。
例えば、本実施形態では、天キャップ右２の第１側壁部４２にバンド３０の挿通穴４８を設けたが、ミラーキャビネット１０の梱包時に対向する天キャップ右２の第２側壁部４４と、天キャップ左４の第２側壁部４４に夫々挿通穴を設けても良い。このようにすると、より確実に外箱部１と内箱部５を結束することができる。
【００６１】
また、本実施形態では、外板部を構成する梱包部材にのみに梱包材の回収時の組立手順を示す識別表示ラベル３２が貼付されているが、回収する梱包部材全てに識別表示をつけても良い。更に、梱包手順を表示するようにしても良い。
【図面の簡単な説明】
【００６２】
【図１】実施例のミラーキャビネットの梱包状態を示す概略図である。
【図２】実施例の天キャップ右、天キャップ左の展開図である。
【図３】実施例の洗面台の梱包状態を示す概略図である。
【図４】実施例の上ケースの展開図である。
【図５】実施例の洗面器用クッション右の展開図である。
【図６】実施例の梱包材の回収時の収納状態を示す概略図である。
【符号の説明】
【００６３】
１…外箱部、２…天キャップ右、４…天キャップ左、５…内箱部、６…底トレイ右、８…底トレイ左、１０…ミラーキャビネット、１２…上ケース、１４…下ケース、１４ａ…クッション、１６…角当て、１８…洗面器用クッション右、１８ａ…クッション右前部、１８ｂ…クッション右後部、１８ｃ…クッション接続部、２０…洗面器用クッション左、２２…洗面台、２２ａ…洗面器部、２２ｂ…洗面台下部、３０…バンド、３２…識別表示ラベル、３４，３６，３８…シート材、４０…底部、４２…第１側壁部、４２ａ…接続用フラップ、４４…第２側壁部、４６…折線、４８…挿通穴、５０…底部、５２…第１側壁部、５２ａ…接続用フラップ、５４…第２側壁部、５６…折線、５８…指掛け穴、６０ａ…前保護部、６０ｂ…後保護部、６０ｃ…接続部、６２…シート材、６４，６６，６８…折線
【図１】
2006168810.tif 000003
【図２】
2006168810.tif 000004
【図３】
2006168810.tif 000005
【図４】
2006168810.tif 000006
【図５】
2006168810.tif 000007
【図６】
2006168810.tif 000008